【手続補正書】
【提出日】平成20年11月28日(2008.11.28)
【手続補正１】
【補正対象書類名】明細書
【補正対象項目名】００１４
【補正方法】変更
【補正の内容】
【００１４】
後壁２４から第２のロック機構すなわち係止機構２８が突き出る。係止機構２８は２つの把持突起３０を備える。把持突起３０同士の間には開口３２が形成される。図５および図７の断面図に最もよく示されるように、各把持突起３０はその先端３４において内側に折り曲げられる。把持突起３０で規定される空間は、図５および図８の拡大図に最もよく示されるように、装置のベース２に形成される係止機構２０を収容する大きさに形成される。
【手続補正２】
【補正対象書類名】明細書
【補正対象項目名】００１５
【補正方法】変更
【補正の内容】
【００１５】
図８に示される本実施形態に係る係止機構２０は、ベース２の先端部１０に沿って縦方向に突き出る突起すなわち錨の形状を有する。錨２０は前面３５と矢形状の２つの突起３６とを有する。突起３６の前面３６ａは所定の角度で傾斜することから、係止機構２０が係止機構２８に出合うと、錨突起３６は、把持突起３０の傾斜する内側端と容易に協働して、これらの把持突起に容易に係合する。係止機構２０の背面３６ｂと、係止機構２８の内側折り曲げ指状端３４とは協働して、係止機構２０および係止機構２８の相互の離隔を規制する。その結果、ハウジング４およびベース２は確実に取り外し不能に結合される。こうして、図２および図３に最もよく開示されるように、ハウジング４およびベース２が相互に旋回すると、ベース２の係止機構２０はハウジング４の係止機構２８に出合う。その時、係止機構２０は係止機構２８にぱちんとはまり、図３に最もよく示されるように、両方の係止機構が相互に連結される。前述のように、係止機構２０および係止機構２８はそれぞれ、本発明に係る安全装置の全係止機構すなわち全連結機構の一部とみなされる。
【手続補正３】
【補正対象書類名】明細書
【補正対象項目名】００１７
【補正方法】変更
【補正の内容】
【００１７】
ハウジング４にはフック機構４０が一体化される。ハウジング４がベース２に向かって旋回して注射針８を覆うと、フック機構４０は注射針８をつかむ。注射針８が、フック４０の先端を通過してぱちんとはまり、フック機構４０の先端の裏側で保持されると、フック機構４０は注射針８を不動に保持する。
【手続補正４】
【補正対象書類名】明細書
【補正対象項目名】００１９
【補正方法】変更
【補正の内容】
【００１９】
ハウジング４の後壁２４およびベース２から係止機構２８およびフック機構４０が突き出て、かつ、係止機構２０がベース２の先端部１０に沿って縦方向に延びれば、ハウジング４およびベース２の結合がフック機構４０による注射針８の把持並びに係止機構２０、２８間の結合によって実現されるので、ハウジング４およびベース２の結合は一層確実に実現される。こうして、ハウジング４の後壁２４から２つの係止点、すなわち、係止機構２０、２８の連結とフック機構４０による注射針８の把持とが実現されることから、ハウジング４はベース２に一層確実に保持され、その結果、注射針８は確実に覆われる。しかも、連結した係止機構２０、２８への接触が規制されることから、注射針８はフック４０からはずれることはない。
【手続補正５】
【補正対象書類名】明細書
【補正対象項目名】００２１
【補正方法】変更
【補正の内容】
【００２１】
使用に先立って、注射針８は、ベース２の先端部１０に嵌め合わせられる図示されない鞘で覆われる。さらに、本発明に係る安全装置は、異なる径を有する多くの他の注射針に合わせて成型される。本発明の注射針アセンブリでは、ベース２に装着される注射針８の径に応じて、安全装置は、予め決められた色に色分けされる。その結果、鞘で覆われる注射針８を見なくても、使用者は注射針８の径を容易に確認することができる。こうして、本発明に係る安全装置の成型された単一片ユニットは、ベース２に取り付けられる特定の注射針８の径を示す予め決められた色に色分けされる。装置の本体に対する注射針の色分けの慣例に関する詳細な説明は、２００４年１月７日に出願日を有する出願番号１０／７５１９８２の出願で提供される。出願番号１０／７５１９８２の出願の開示は参照文献としてここに組み込まれる。
【手続補正６】
【補正対象書類名】明細書
【補正対象項目名】００２２
【補正方法】変更
【補正の内容】
【００２２】
安全装置のベース２に形成される係止機構の代替実施例は図９および図１０に示される。図９に示される装置と図１〜図８に示される装置とは錨すなわち突起２０’の形状に違いがある。図１０に拡大されて詳細が示されるように、図８に示される係止機構２０の傾斜する側面３６ａと対照的に、係止機構２０’は湾曲する前面２０’ｆを有する。さらに、突起２０’の背面２０’ｂは内側に向かって角度を有しない。各指状突起３０の先端の形状は、突起２０’の先端が指状突起３０の間に移動してその先端３４を通過すると、その先端３４が各背面２０’ｂに不動に把持されるように調整される。前述の実施例と同様に、係止機構２８および２０’は、フック機構４０が、ベース２の先端１０から突き出る図示されない注射針に接触すると実質的に同時に接触する。
【手続補正７】
【補正対象書類名】明細書
【補正対象項目名】００２４
【補正方法】変更
【補正の内容】
【００２４】
図１４は、ハウジング４の平面図であり、ハウジング４がベース２から離れる方向に旋回した後を示す。この図では、フック４０、４２は明確に図示される。安全装置の側面図を示す図１５では、同様に、リブ４４およびその開口４６が明確に図示される。図１６にはラッチリブの拡大詳細図が示される。図１８は、図１３の安全装置のＡ−Ａ線に沿った断面図を示す。前述のように、ハウジング４に形成される係止機構とベース２とが完全に連結される完全に移動した安全装置は図１９に示される。
【手続補正８】
【補正対象書類名】明細書
【補正対象項目名】００２８
【補正方法】変更
【補正の内容】
【００２８】
図２０〜図２２の実施形態では、ハウジング４の一部として１対の仕切り壁すなわち簡易な仕切り５８が規定される。仕切り５８はハウジング４の後壁２４から突き出る。各仕切り５８は環状取っ手５４の一方とハウジング４の側壁２２の一方との間に配置される。図２２に示されるように、環状取っ手５４が突起４１にそれぞれぱちんとはまって保持され、注射針７がハウジング４で覆われると、各仕切り５８の前端はリブ５０ｂ、５０ｄにそれぞれ接触するか、または、非常に近接する。その結果、噛み合いまたは連結される突起４１および環状取っ手５４には手は届かず、突起４１および環状取っ手５４はいじられない。これは、係止機構２０、２８がハウジング４およびベース２を相互に連結して保持した後において、係止機構２０、２８への人の手の接近の排除に用いられる前述のハウジング４の側壁２２の拡張部３８に加えての、安全手段である。
【手続補正９】
【補正対象書類名】図面
【補正対象項目名】全図
【補正方法】変更
【補正の内容】
【図１】
2008541834.tif 000001
【図２】
2008541834.tif 000002
【図３】
2008541834.tif 000003
【図４】
2008541834.tif 000004
【図５】
2008541834.tif 000005
【図６】
2008541834.tif 000006
【図７】
2008541834.tif 000007
【図８】
2008541834.tif 000008
【図９】
2008541834.tif 000009
【図１０】
2008541834.tif 000010
【図１１】
2008541834.tif 000011
【図１２】
2008541834.tif 000012
【図１３】
2008541834.tif 000013
【図１４】
2008541834.tif 000014
【図１５】
2008541834.tif 000015
【図１６】
2008541834.tif 000016
【図１７】
2008541834.tif 000017
【図１８】
2008541834.tif 000018
【図１９】
2008541834.tif 000019
【図２０】
2008541834.tif 000020
【図２１】
2008541834.tif 000021
【図２２】
2008541834.tif 000022